(57)【要約】      （修正有）【課題】地上における給水タンクの操作を不要にし、その分の人員を削減することで人件費を削減できる電柱切断装置を提供する。【解決手段】電柱切断手段であるブレード２を内蔵した本体１と、本体を電柱５０の切断箇所に保持しつつ周回させるための周回駆動手段とを備え、本体には、地上その他適宜位置に載置された集塵機から伸びる集塵ホース３が接続され、本体の上側に給水タンク４が配備され、給水タンクより伸びる給水ホース５の先端に、バルブ７付き給水口８が、ブレード２に向けて配置される。【選択図】図１
0003198285.tif 000002
【実用新案登録請求の範囲】
【請求項１】
電柱切断手段であるブレードを内蔵した本体と、前記本体を電柱の切断箇所に保持しつつ周回させるための周回駆動手段とを備えて成り、前記本体には、地上その他適宜位置に載置された集塵機から伸びる集塵ホースが接続され、また、前記本体の上側に給水タンクが配備され、前記給水タンクより伸びる給水ホースの先端に、バルブ付き給水口が、前記ブレードに向けて配置されて成ることを特徴とする電柱切断装置。
【請求項２】
前記給水タンクは、前記本体又は前記本体上部の連結アームに取り付けられたステーを介して設置される、請求項１に記載の電柱切断装置。
【請求項３】
前記給水タンクは、前記本体の上側の電柱の適宜箇所に取り付けられ、そこから伸びる前記給水ホースは可撓性ホースとされる、請求項１に記載の電柱切断装置。
【考案の詳細な説明】
【技術分野】
【０００１】
本考案は、給水機能付き電柱切断装置に関するものであり、より詳細には、古くなって建て替えたり撤去したりする電柱を切断するための給水機能付き電柱切断装置に関するものである。
【背景技術】
【０００２】
電柱切断機として種々のタイプのものが出回っているが、いずれも基本的には、電柱の切断箇所に固定するための手段と、その位置で電柱を切断するためのブレードやワイヤソー等の切断手段とを備えて成る。また、切断に際して生ずる粉塵の飛散防止対策として、集塵手段と給水手段とが付設される。
【０００３】
図４に示す例の電柱切断機は、ブレードを回転駆動する油圧モーター３２を備えた本体３１と、本体３１を電柱５０に沿って周回させるための周回駆動手段３３とを備えて成り、本体３１に、地上に置かれた集塵機３４から伸びる集塵ホース３５が接続されると共に、地上に置かれた給水タンク３６から伸びる給水ホース３７が接続された構成となっている。しかし、この構成の電柱切断機の場合は、１人の作業者が建柱車や高所作業車等に乗って切断作業に携わり、他の作業者が地上において給水タンク３６の操作をし、ブレードに対する注水作業を行う必要があるため、人件費が嵩むという問題がある。
【先行技術文献】
【特許文献】
【０００４】
【特許文献１】特開２０１４−３７６７６号公報
【特許文献２】特開２００６−３１６６１０号公報
【特許文献３】実用新案登録第３１８１３１９号公報
【考案の概要】
【考案が解決しようとする課題】
【０００５】
上述したように、従来の電柱切断機の場合は、１人の作業者が建柱車や高所作業車等に乗って切断作業に携わり、他の作業者が地上において給水タンクの操作をし、ブレードに対する注水作業を行う必要があるため、人件費が嵩むという問題があった。そこで本発明は、地上における給水タンクの操作を不要にすることで、その分の人員を不要にすることで人件費を削減することを可能にする電柱切断装置を提供することを課題とする。
【課題を解決するための手段】
【０００６】
上記課題を解決するための請求項１に記載の考案は、電柱切断手段であるブレードを内蔵した本体と、前記本体を電柱の切断箇所に保持しつつ周回させるための周回駆動手段とを備えて成り、前記本体には、地上その他適宜位置に載置された集塵機から伸びる集塵ホースが接続され、また、前記本体の上側に給水タンクが配備され、前記給水タンクより伸びる給水ホースの先端に、バルブ付き給水口が、前記ブレードに向けて配置されて成ることを特徴とする電柱切断装置である。
【０００７】
一実施形態においては、前記給水タンクは、前記本体又は前記本体上部の連結アームに取り付けられたステーを介して設置される。あるいは、前記給水タンクは、前記本体の上側の電柱の適宜箇所に取り付けられ、そこから伸びる前記給水ホースは可撓性ホースとされる。
【考案の効果】
【０００８】
本考案は上述したように、本体に、地上その他適宜位置に載置された集塵機から伸びる集塵ホースが接続されると共に、本体の上側に給水タンクが配備され、そこから伸びる給水ホース先端のバルブ付き給水口がブレードに向けて配置され、そこから所望量の水を自動的にブレードに向けて注水することができるので、ブレードに対する注水を行うための給水タンクの操作を地上において行う必要がないため、そのための人員と人件費を削減し得る効果がある。
【図面の簡単な説明】
【０００９】
【図１】本考案に係る電柱切断装置の構成を示す正面図である。
【図２】本考案に係る電柱切断装置の構成を示す側面図である。
【図３】本考案に係る電柱切断装置の構成を示す要部平面図である。
【図４】従来の電柱切断装置の使用状態を示す図である。
【考案を実施するための形態】
【００１０】
本考案を実施するための形態につき、添付図面を参照しつつ説明する。本考案に係る電柱切断装置は、電柱切断手段であるブレード２を内蔵した本体１と、本体１を電柱５０の切断箇所に保持しつつ周回させるための周回駆動手段とを備えて成る。本体１には、地上その他適宜位置に載置された集塵機から伸びる集塵ホース３が接続され、また、本体１の上側に設置された給水タンク４より伸びる給水ホース５の先端に、ワンタッチカプラ６を介してバルブ７を備えた給水口８が、ブレード２に向けて配置される。ブレード２は、本体１の上部に配置された安全カバー９内に一部を露出した状態に配備され、本体１に付設される油圧モーター１１等の駆動源によって回転駆動される。
【００１１】
なお、本体１を電柱５０の切断箇所に保持しつつ周回させるための周回駆動手段は、例えば、特開２００９−１６６２２９号公報等に開示され、一般にも実施されている周知の手段を用いることができるので、詳細な説明は省略する。本体１は、この周回駆動手段によって電柱の周囲を走行しつつ、そのブレード２で電柱を切断する。
【００１２】
本体１の上面及び下面には、本体１を周回駆動手段のチェーン１２に接続するためのアーム１３、１４が設置されるが、上側のアーム１３又は本体の側面に、給水タンク４を支持するためのステー１５が取り付けられる。図示した例では、ステー１５は上側のアーム１３に取り付けられて上方に伸び、その上端部に、給水タンク４の側部に固定される保持カバー１６が固定される。
【００１３】
この構成の場合、作業者は、建柱車等に乗って本体１を電柱切断箇所に持ち上げ、周回駆動手段を電柱を取り巻くようにして取り付ける。そして、切断作業に先立ち、バルブ７を開いてブレード２に適量の自動注水を開始させ、切断作業終了まで自動注水を継続させる。かくして、地上において給水作業を行う作業者が不要となる。
【００１４】
他の実施形態においては、バルブ付きの給水タンク４が、本体１の上側の電柱５０の適宜個所に、任意の方法で取り付けられる。この場合は、給水ホース５の長さを、本体１が電柱５０を一周するのに対応し得る長さとする必要がある。また、給水ホース５のねじれや破損を防止するため、給水ホース５は、蛇腹等の可撓性ホースとすることが好ましい。この実施形態の場合も、地上において給水作業を行う作業者が不要となる。
【００１５】
この考案をある程度詳細にその最も好ましい実施形態について説明してきたが、この考案の精神と範囲に反することなしに広範に異なる実施形態を構成することができることは明白である。従って、この考案は、実用新案登録請求の範囲において限定した以外はその特定の実施形態に制約されるものではない。
【符号の説明】
【００１６】
１      本体
２      ブレード
３      集塵ホース
４      給水タンク
５      給水ホース
６      ワンタッチカプラ
７      バルブ
８      給水口
９      安全カバー
１１      油圧モーター
１２      チェーン
１３      連結アーム
１４      連結アーム
１５      ステー
１６      保持カバー
【図１】
0003198285.tif 000003
【図２】
0003198285.tif 000004
【図３】
0003198285.tif 000005
【図４】
0003198285.tif 000006